(57)【特許請求の範囲】
【請求項１】
遺骨を収納する収納容器と、文字情報を記載する銘板とを備えた納骨装置であって、
前記収納容器は略直方体形状であり、
前記収納容器の少なくとも一つの面が開口可能な開口面であり、
前記収納容器について、上面と、７寸の標準骨壺を２個以上載置できる底面とを接続する四つの面のうち、面積の大きい二つの面を側面とした場合に、前記銘板が、前記上面、前記側面、前記底面のいずれかに備えられ、
前記銘板は、可動であり、当該銘板に記載される文字情報を水平方向に表示可能であるように構成されている、前記納骨装置。
【請求項２】
前記銘板が、前記収納容器の前記開口面である、請求項１に記載の納骨装置。
【請求項３】
前記銘板が、前記収納容器に取付け部材を介して取り付けられている、請求項１に記載の納骨装置。
【請求項４】
前記銘板が、前記収納容器に載置されている、請求項１に記載の納骨装置。
【請求項５】
前記銘板が、前記収納容器の面のうち最も面積の大きい面に備えられている、請求項１〜４のいずれかに記載の納骨装置。
【請求項６】
前記銘板を二つ備える、請求項１〜５のいずれかに記載の納骨装置。
【請求項７】
請求項１〜６のいずれかに記載の納骨装置と、
前記納骨装置を保管する保管庫と、
前記納骨装置を運搬する運搬装置と、
参拝者が参拝する参拝装置と
を備えた参拝施設であって、
前記運搬装置は、前記納骨装置を前記保管庫と前記参拝装置との間で移動させ、
前記参拝装置は、前記納骨装置の前記銘板を配置可能であり、かつ、前記納骨装置の前記銘板に記載される文字情報を参拝者側に表示するように構成され、
前記参拝装置が、透明部材を備えた開口部を備え、前記透明部材が液晶シートを備え、
前記液晶シートに電圧を印加したとき、前記納骨装置の前記銘板に記載される文字情報が、前記透明部材を介して参拝者側に表示され、
前記液晶シートに電圧を印加しないとき、前記透明部材が不透明となり、前記納骨装置の前記銘板に記載される文字情報が参拝者側に表示されない、前記参拝施設。
【請求項８】
前記銘板が、その短辺を水平方向とし、その長辺を垂直方向とするように、前記参拝装置に配置される、請求項７に記載の参拝施設。
【請求項９】
前記参拝装置が和型墓石を模して構成されている、請求項８に記載の参拝施設。
【請求項１０】
前記銘板が、その長辺を水平方向とし、その短辺を垂直方向とするように、前記参拝装置に配置される、請求項７に記載の参拝施設。
【請求項１１】
前記参拝装置が洋型墓石を模して構成されている、請求項１０に記載の参拝施設。
【請求項１２】
前記参拝装置が屋外に配置されている、請求項７〜１１のいずれかに記載の参拝施設。
【請求項１３】
さらに参拝室を備え、前記参拝装置が前記参拝室の内部に配置されている、請求項７〜１１のいずれかに記載の参拝施設。
【請求項１４】
前記参拝装置を複数備える、請求項１２又は１３に記載の参拝施設。
【発明の詳細な説明】
【技術分野】
【０００１】
本発明は、納骨装置及びそれを用いた参拝施設に関する。
【背景技術】
【０００２】
近年の墓地不足の解消と利便性追求のために、いわゆる自動納骨堂が考案され、利用されている（例えば、特許文献１を参照）。自動納骨堂は、骨壺等に納めた遺骨を一括して所定の場所に収納しておき、参拝者が訪れると、運搬装置により遺骨を収納場所から祭壇又は墓石まで運搬し、参拝が終わると、再び運搬装置により遺骨を収納場所に戻すというものである。
【先行技術文献】
【特許文献】
【０００３】
【特許文献１】特開２０１０−１３８５９６号公報
【発明の概要】
【発明が解決しようとする課題】
【０００４】
しかし、こうした自動納骨堂は、機械装置であるため、従来の墓と比べて無味乾燥で、先祖代々の墓としては殺伐とした印象を与え、故人を弔う気持ちを充分に満足させるものではなかった。
【０００５】
特許文献１記載の堂内陵墓は、厨子を墓石に組み込む構造であり、厨子の正面に設けた銘板部分が墓石の銘板部分として使用される。しかし、厨子の大きさが限定されるため、墓石の銘板部分の寸法が従来の一般的な墓より小さくこじんまりとした印象を与え、依然として従来の墓との違和感は鮮明である。
【０００６】
そこで、本発明者は、従来の墓との違和感なく参拝することが可能な参拝施設を実現すべく、本発明を完成させた。本発明の目的は、従来の一般的な墓と同じか又は同程度の大きさの銘板を用意できる納骨装置と、それを用いた参拝施設を提供することにある。
【課題を解決するための手段】
【０００７】
本発明によれば、以下の納骨装置等を提供できる。
１．遺骨を収納する収納容器と、文字情報を記載する銘板とを備えた納骨装置であって、
前記収納容器は略直方体形状であり、
前記収納容器の少なくとも一つの面が開口可能な開口面であり、
前記銘板は、可動であり、当該銘板に記載される文字情報を水平方向に表示可能であるように構成されている、前記納骨装置。
２．前記銘板が、前記収納容器の前記開口面である、１に記載の納骨装置。
３．前記銘板が、前記収納容器に取付け部材を介して取り付けられている、１に記載の納骨装置。
４．前記銘板が、前記収納容器に載置されている、１に記載の納骨装置。
５．前記銘板が、前記収納容器の面のうち最も面積の大きい面に備えられている、１〜４のいずれかに記載の納骨装置。
６．前記銘板を二つ備える、１〜５のいずれかに記載の納骨装置。
７．１〜６のいずれかに記載の納骨装置と、
前記納骨装置を保管する保管庫と、
前記納骨装置を運搬する運搬装置と、
参拝者が参拝する参拝装置と
を備えた参拝施設であって、
前記運搬装置は、前記納骨装置を前記保管庫と前記参拝装置との間で移動させ、
前記参拝装置は、前記納骨装置の前記銘板を配置可能であり、かつ、前記納骨装置の前記銘板に記載される文字情報を参拝者側に表示するように構成されている、前記参拝施設。
８．前記参拝装置が開口部を備え、
前記納骨装置の前記銘板に記載される文字情報が、前記開口部を介して参拝者側に表示される、７に記載の参拝施設。
９．前記参拝装置の前記開口部が透明部材を備え、
前記納骨装置の前記銘板に記載される文字情報が、前記透明部材を介して参拝者側に表示される、８に記載の参拝施設。
１０．前記参拝装置の前記透明部材が、液晶シートを備え、
前記液晶シートに電圧を印加したとき、前記納骨装置の前記銘板に記載される文字情報が、前記透明部材を介して参拝者側に表示され、
前記液晶シートに電圧を印加しないとき、前記透明部材が不透明となり、前記納骨装置の前記銘板に記載される文字情報が参拝者側に表示されない、９に記載の参拝施設。
１１．前記銘板が、その短辺を水平方向とし、その長辺を垂直方向とするように、前記参拝装置に配置される、７〜１０のいずれかに記載の参拝施設。
１２．前記参拝装置が和型墓石を模して構成されている、１１に記載の参拝施設。
１３．前記銘板が、その長辺を水平方向とし、その短辺を垂直方向とするように、前記参拝装置に配置される、７〜１０のいずれかに記載の参拝施設。
１４．前記参拝装置が洋型墓石を模して構成されている、１３に記載の参拝施設。
１５．前記参拝装置が屋外に配置されている、７〜１４のいずれかに記載の参拝施設。
１６．さらに参拝室を備え、前記参拝装置が前記参拝室の内部に配置されている、７〜１４のいずれかに記載の参拝施設。
１７．前記参拝装置を複数備える、１５又は１６に記載の参拝施設。
【発明の効果】
【０００８】
本発明によれば、従来の一般的な墓と同じか又は同程度の大きさの銘板を用意できる納骨装置と、それを用いた参拝施設を提供できる。
【図面の簡単な説明】
【０００９】
【図１】本発明の納骨装置の一態様を示す図である。
【図２】本発明の納骨装置の別の態様を示す図である。
【図３】本発明の納骨装置の別の態様を示す図である。
【図４】本発明の納骨装置の別の態様を示す図である。
【図５】本発明の納骨装置の別の態様を示す図である。
【図６】本発明の参拝施設の一態様を示す図である。
【図７】本発明の参拝施設の別の態様を示す図である。
【図８】本発明の参拝施設の別の態様を示す図である。
【発明を実施するための形態】
【００１０】
以下、本発明の納骨装置及び参拝施設の実施形態について説明する。
［納骨装置]
本発明の納骨装置は、遺骨を収納する収納容器と、文字情報を記載する銘板とを備えた納骨装置であって、前記収納容器は、略直方体形状であり、かつ、開口可能な開口部であり、前記銘板は、可動であり、当該銘板に記載される文字情報を水平方向に表示可能であるように構成されているものである。
【００１１】
銘板が可動であるため、銘板を動かして参拝装置に組み込んで一体とし、銘板に記載される文字情報を参拝者側に表示できる。このような構成とすることにより、後述する参拝施設において、従来の自動納骨堂と異なり、一般的な墓と同じか又は同程度の大きさの銘板を用意することができ、参拝者が感じる従来の墓との違和感を軽減することができる。
【００１２】
収納容器は、遺骨を収納するための容器である。遺骨は、骨壺に納められ、収納容器に収納されてもよく、又は、骨袋に納められ、収納容器に収納されてもよい。収納容器には骨壺と骨袋が同時に収納されてもよい。
骨壺及び骨袋は、特に限定されず、一般的に入手できるものを使用すればよい。骨壺としては、例えば、７寸（直径約２２ｃｍ）の標準骨壺等が挙げられるが、多くの骨壺を収納したい場合は、サイコロを半分にカットしたような角形の骨壺を使用してもよい。
【００１３】
収納容器は、略直方体形状であり、かつ、開口可能な開口部を有する。「略直方体形状」とは、直方体を意味する他、直方体の角に丸みをつける等した形状で直方体と同視できる形状も含む。開口部を開口することにより、遺骨の出し入れが可能となる。
収納容器の寸法は特に限定されないが、少なくとも７寸（直径約２２ｃｍ）の標準骨壺を２個以上、収納可能な寸法であることが好ましい。これにより、銘板を充分な大きさにすることができ、後述する参拝施設において、参拝者に大きな銘板を表示できる。
【００１４】
銘板は、文字情報を記載するためのものである。銘板に記載する文字情報は、故人の家名の他、故人の好きな言葉等であってもよく、特に限定されない。文字情報は、和型墓石の場合は縦書き、洋型墓石の場合は横書きが一般的であるが、特に限定されない。
【００１５】
銘板は、可動であり、当該銘板に記載される文字情報を水平方向に表示可能であるように構成されている。これにより、後述する参拝施設において、銘板を動かして参拝装置と組み合わせて一体とし、銘板に記載される文字情報を参拝者側に表示できる。
【００１６】
銘板は、収納容器の上面、側面、底面のいずれかに備えられる。ここで、本明細書中において、収納容器の側面とは、上面と底面とを接続する四つの面のうち、面積の大きい二つの面をいい、収納容器の正面（又は背面）とは、上面と底面とを接続する四つの面のうち、面積の小さい二つの面をいうものとする。銘板が納骨装置の上面又は底面にある場合、文字情報は鉛直方向の上向き又は下向きに表示されることになり、銘板が納骨装置の側面にある場合、文字情報は水平方向に表示されることになる。しかし、本発明において、銘板は可動であるから、納骨装置の上面、側面、底面のどの面に備えられていても、銘板を動かすことにより、銘板に記載される文字情報の表示方向を変えることができる。本発明の納骨装置は、銘板を動かして文字情報を水平方向に表示可能である。また、後述する本発明の参拝施設において、銘板を動かして参拝装置に組み込んだときに、文字情報を参拝者側に表示できる。
【００１７】
本発明の一態様では、銘板が、収納容器の開口部を構成していてもよい。当該態様では、銘板は収納容器の一部分を形成する。これにより、銘板を備える目的で収納容器とは別の部材を使用する必要が無く、コストを削減できる。
【００１８】
図１に本発明の納骨装置の一態様を示す。図１において、納骨装置１０は、収納容器１２と銘板１４とを備える。収納容器１２には、骨壺１３が収納される。銘板１４には、故人の家名等が記載される。銘板１４は、収納容器１２の上面である開口面を兼ねており、銘板１４を開けて骨壺１３が出し入れされる。銘板１４は可動であり、鉛直方向に立てることにより、故人の家名等を水平方向に表示できる。
【００１９】
また、本発明の別の態様では、銘板が、収納容器に取付け部材を介して取り付けられていてもよい。当該態様では、銘板は収納容器とは別の独立した部材として存在する。これにより、例えば、銘板を動かしたときに機械的トラブルが発生しても収納物を保護できる。
取付け部材は、銘板が可動であり、銘板に記載される文字情報を水平方向に表示可能であることを条件として特に限定されない。取付け部材としては、例えば、ネジ、蝶番等を用いた部材が挙げられる。本実施態様において、銘板は取付け部材を介して収納容器と結合している。
【００２０】
また、本発明の別の態様では、銘板が、収納容器に載置されていてもよい。当該態様では、銘板は収納容器とは別の独立した部材として存在する。これにより、後述する参拝装置及び参拝施設の設計・デザインの自由度が広がる。また、例えば、収納容器の開口面の蓋の上に銘板を載置する場合、遺族が納骨するときに、収納容器に蓋をしたその上に銘板を載置するので、遺骨をより大切に取り扱う印象となり、遺族の満足感をより充たすことができる。
本実施態様において、銘板は、収納容器の上面に載置されていてもよく、又は、収納容器の底面若しくは側面に載置されていてもよい。銘板を収納容器の側面又は底面に載置する方法は、特に限定されないが、例えば、銘板を収納容器に係止する係合受け部等を設ければよい。
【００２１】
図２に、本発明の納骨装置の別の態様を示す。図２において、納骨装置１０は、収納容器１２と銘板１４とを備える。収納容器１２には、骨壺又は骨袋（図示せず）が収納される。銘板１４は収納容器１２の上面１２ａに備えられ、銘板１４には、故人の家名が記載される。銘板１４は可動であり、収納容器１２の上面１２ａに備えられた状態から、一端を上方に持ち上げて鉛直方向に立てることにより、故人の家名を水平方向に表示できる。
【００２２】
図２において収納容器１２の開口面を図示していないが、本実施態様では、開口面は収納容器１２の任意の面であることができ、又は、銘板１４が、収納容器１２の開口面を兼ねることができる。前者の場合、銘板１４は、取付け部材（図示せず）を介して収納容器１２に取り付けられているか、又は、収納容器１２に載置されている。
【００２３】
また、図２は、銘板１４に個人の家名を記載しているが、銘板１４と収納容器１２の正面１２ｃとを一体として使用して文字情報を記載すれば、銘板１４と収納容器１２の正面１２ｃとを合わせた大きい寸法で文字情報を表示でき、銘板の機能を有する範囲を拡張できる。
【００２４】
図３に、本発明の納骨装置の別の態様を示す。図３において、銘板１４は収納容器１２の底面１２ｂに備えられている。銘板１４は可動であり、収納容器１２の底面１２ｂに備えられた状態から、一端を下方に動かし鉛直方向に立てることにより、故人の家名を水平方向に表示できる。
【００２５】
図３において収納容器１２の開口面を図示していないが、本実施態様では、開口面は収納容器１２の任意の面であることができる。しかし、銘板１４は、収納容器１２の開口面を兼ねない。銘板１４は、取付け部材（図示せず）を介して収納容器１２に取り付けられているか、又は、収納容器１２に載置されている。その他の特徴は、図２の態様と同様である。
【００２６】
また、図３は、銘板１４に個人の家名を記載しているが、銘板１４と収納容器１２の正面１２ｃとを一体として使用して文字情報を記載すれば、銘板１４と収納容器１２の正面１２ｃとを合わせた大きい寸法で文字情報を表示でき、銘板の機能を有する範囲を拡張できる。
【００２７】
図４に、本発明の納骨装置の別の態様を示す。図４において、銘板１４は、係合受け部１５により係止することにより、収納容器１２の側面１２ｄに載置されている。側面１２ｄは、収納容器１２の上面１２ａと底面１２ｂとを接続する四つの面のうち面積の大きい二つの面である。面積の小さい二つの面は正面１２ｃ（又は背面）である。銘板１４は可動であり、係合受け部１５から外して、垂直方向に立てることにより、故人の家名を水平方向に表示できる。
【００２８】
図４に示す態様では、銘板の１４の家名は縦書きであるが、横書きであってもよい。横書きの場合は、銘板１４を係合受け部１５から外せば、故人の家名を水平方向に表示できる。
また、図４に示す態様では、係合受け部１５により銘板１４を収納容器１２の側面１２ｄに載置しているが、本発明の納骨装置において、銘板を収納容器に載置する方法は限定されない。
【００２９】
また、図４に示す係合受け部１５は、銘板１４を上方に動かして可動とするものであるが、銘板を横方向に動かして可動とするような構成の係合受け部を使用してもよい。
図４に示す態様のその他の特徴は、図２の態様と同様である。
【００３０】
図４に示す態様は、銘板を一つ備えるものであるが、別の態様においては、収納容器１２の二つの側面１２ｄのそれぞれに一つずつ、合計二つの銘板を備えていてもよい。これにより、一つの納骨装置で、二家族分の遺骨を収納でき、二家族分の納骨装置を兼ねることができる。
【００３１】
本発明の納骨装置において、銘板が、収納容器の面のうち最も面積の大きい面に備えられていることが好ましい。これにより、銘板を充分な大きさにすることができ、後述する参拝施設において、一般的な墓と同じか又は同程度の大きさの銘板を用意することができ、参拝者が感じる従来の墓との違和感を軽減し、参拝者の満足感をより充たすことができる。
例えば、図２において、銘板１４が、収納容器１２の上面１２ａ、底面１２ｂ、又は二つの側面１２ｄのうち最も面積の大きい面に備えられていることを意味する。
【００３２】
また、本発明の納骨装置は、銘板を二つ備えることが好ましい。これにより、一つの納骨装置で二家族分の納骨装置を兼ねることができる。また、このとき、収納容器は、一つの底板の上に二つの独立した収納容器を備えたものとすることが望ましいが、一つの収納容器の内部を、二つの部屋に分けたものとしてもよい。
【００３３】
図５に、本発明の納骨装置の別の態様を示す。図５において、納骨装置１０は、収納容器１２と、二つの銘板１４ａ、１４ｂとを備える。銘板１４ａ、１４ｂは、収納容器１２の面のうち最も面積の大きい面である側面１２ｄに備えられ、回動可能な取付け部材１６を介して収納容器１２の正面１２ｃ（又は正面１２ｃと平行な背面）に取り付けられている。銘板１４ａ、１４ｂは可動であり、それぞれ、収納容器１２の側面１２ｄに接した状態から、収納容器１２の正面１２ｃ（又は正面１２ｃと平行な背面）に向かって水平方向に動かした後、鉛直方向に立てることにより、故人の家名を水平方向に表示できる。
【００３４】
図５に示すように銘板１４ａ、１４ｂと取付け部材１６とを一体化した構造とすることにより、取付け部材１６にも家名等の文字情報を記載することができる。例えば、銘板１４が収納容器１２の側面１２ｄと同様の寸法である図１又は図３の態様と比較して、図５の態様では、銘板１４ａ、１４ｂと取付け部材１６とを合わせた大きい寸法で文字情報を表示でき、銘板の機能を有する範囲を拡張できる。
【００３５】
図５に示す態様では、収納容器１２の開口面を図示していないが、開口面は収納容器１２の任意の面であることができ、又は、二つの銘板１４ａ及び１４ｂの少なくとも一方が、収納容器１２の開口面を兼ねることができる。
銘板１４ａ、１４ｂは、図５に示すような取付け部材１６の他、任意の形態や機構を有する取付け部材を介して収納容器１２に取り付けられていてもよい。
収納容器１２は、好ましくは、二つの部屋に分けられている。
図５に示す態様では、銘板の１４の家名は縦書きであるが、横書きであってもよい。
【００３６】
本発明の納骨装置の例示的な一態様では、収納容器の寸法を、７寸（直径約２２ｃｍ）の標準骨壺を２個収納できる寸法にすることができる。収納容器の寸法は、一例として、縦：約３０ｃｍ、横：約６０ｃｍ、高さ：約３０ｃｍとすることができる。このような寸法の収納容器を使用し、銘板を、収納容器の最も面積の大きい面である上面、側面、又は底面（寸法：約３０ｃｍ×約６０ｃｍ）に備えることで、銘板の寸法を約３０ｃｍ×約６０ｃｍと大きくすることができる。後述する本発明の参拝施設の一態様では、このような納骨装置を組み込むことにより、参拝装置において従来の一般的な墓と同じか又は同程度の大きさの銘板を用意できる。従来の一般的な墓は、例えば、棹石の幅が１尺（約３０ｃｍ）、高さが２尺３寸（約７０ｃｍ）であり、この寸法の範囲内で家名等が刻印され銘板として使用される。
【００３７】
本発明の納骨装置は、任意の材質で構成することができる。後述する参拝施設において従来の墓との違和感を少なくするためには、少なくとも銘板は、自然石や人工大理石等の従来の墓と同じ材質で構成することが好ましい。銘板と一体化して銘板の機能を発揮する任意の部材が存在する場合には、銘板と同じ材質とすることが好ましい。
【００３８】
［参拝施設］
本発明の参拝施設は、上記説明した本発明の納骨装置と、前記納骨装置を保管する保管庫と、前記納骨装置を運搬する運搬装置と、参拝者が参拝する参拝装置とを備え、前記運搬装置は、前記納骨装置を前記保管庫と前記参拝装置との間で移動させ、前記参拝装置は、前記納骨装置の前記銘板を配置可能であり、かつ、前記納骨装置の前記銘板に記載される文字情報を参拝者側に表示するように構成されているものである。
【００３９】
納骨装置に備えられた銘板が可動であるため、銘板を動かして参拝装置に組み込んで一体とし、銘板に記載される文字情報を参拝者側に表示できる。このような構成とすることにより、参拝施設において、従来の一般的な墓と同じか又は同程度の大きさの銘板を用意でき、参拝者が感じる従来の墓との違和感を軽減することができる。
【００４０】
納骨装置は、上記説明したとおりのものである。
【００４１】
保管庫には、多数の納骨装置が保管される。保管庫の構造は特に限定されない。
【００４２】
運搬装置は、納骨装置を保管庫と参拝装置との間で移動させる。具体的には、参拝に備えて、保管庫の所定の場所に収納された納骨装置を取出して、参拝装置に移動させ、参拝が終了したら、納骨装置を参拝装置から保管庫に移動させて、再び保管庫の所定の場所に収納する。
【００４３】
運搬装置は、特に限定されず、保管庫の形状・寸法、参拝装置の形状、保管庫と参拝装置との距離・位置関係等の種々の設計因子を考慮して、適宜、構成することができる。
納骨装置として、図５に示すような銘板を二つ備える態様のものを使用する場合、運搬装置は、さらに納骨装置を回転させる装置を備えることができる。納骨装置を回転させて正面と背面とを使い分けることにより、一つの納骨装置で二家族の参拝を行うことが可能となる。
【００４４】
参拝装置は、参拝者が参拝を行うためのものであり、少なくとも納骨装置の銘板を配置可能であり、納骨装置の銘板に記載される文字情報を参拝者側に表示するように構成されている。
納骨装置の銘板を参拝装置に配置する方法は、銘板を納骨装置に取り付けている取付け部材の機構等に依存するが、特に限定されない。例えば、磁石や真空吸引等で吸着して銘板を可動させ、納骨装置に配置することができる。
【００４５】
本発明の参拝施設の一態様においては、参拝装置が開口部を備え、納骨装置の銘板に記載される文字情報が、開口部を介して参拝者側に表示される構成であってもよい。
これにより、参拝装置の開口部に納骨装置の銘板を組み込んで一体とし、参拝者が違和感なく参拝装置に参拝することが可能となる。
【００４６】
また、本発明の参拝装置の別の態様においては、参拝装置の開口部に透明部材を備え、納骨装置の銘板に記載される文字情報が、透明部材を介して参拝者側に表示される構成であってもよい。
これにより、参拝装置の開口部を透明部材で塞ぐことができる。さらに、必要な部材を防水構造とすることにより、参拝の際、従来の墓と同じように、参拝者が参拝装置に水をかけることが可能となり、従来の墓と同様の墓参行為を行うことができる。
【００４７】
さらに、本発明の参拝装置の別の態様においては、参拝装置の透明部材が、液晶シートを備え、液晶シートに電圧を印加したとき、納骨装置の銘板に記載される文字情報が、透明部材を介して参拝者側に表示され、液晶シートに電圧を印加しないとき、透明部材が不透明となり、納骨装置の前記銘板に記載される文字情報が参拝者側に表示されない構成としてもよい。
【００４８】
電圧の印加の有無を選択することにより、参拝の間だけ透明部材を透明にして、銘板の文字情報を参拝者側に表示し、参拝が終わったら透明部材を不透明にすれば、納骨装置の出し入れを参拝者に視認させることがない。装置の機械的な操作を不可視とすることで、参拝者が故人を弔う気持ちを損なう要因を排除することができる。
【００４９】
また、お盆や彼岸の時期等は参拝者が集中して混雑するため、参拝以外の待ち時間を短縮して、より早くより多くの参拝を行うことが好ましい。上記の構成とすることにより、参拝が終わった後、参拝者がまだ参拝施設に居る間であっても、装置の機械的な操作を不可視として納骨装置の交換を行うことができる。次の参拝に備える準備をより早くから行うことにより、多くの参拝を行うことが可能となる。
【００５０】
液晶シートは、特に限定されず、市販のものを適宜使用することができる。透明部材は、例えば、ガラスやプラスチックに液晶シートを張り合わせたものであってもよく、又は、二枚のガラス又はプラスチックの間に液晶シートを挟んだものであってもよい。
【００５１】
本発明の参拝施設の一態様においては、銘板が、その短辺を水平方向とし、その長辺を垂直方向とするように、参拝装置に配置されていてもよい。また、このとき、参拝装置が和型墓石を模して構成されていてもよい。和型墓石は、通常、上部から順に、棹石、上台石、中台石、下台石（芝石）、拝石を備えるが、すべてを備える必要はなく、いずれかを備えていなくてもよい。銘板は、和型墓石の棹石部分に配置されることが好ましい。
【００５２】
また、本発明の参拝施設の別の態様においては、銘板が、その長辺を水平方向とし、その短辺を垂直方向とするように、参拝装置に配置されていてもよい。また、このとき、参拝装置が洋型墓石を模して構成されていてもよい。洋型墓石は、通常、上部から順に、棹石、中台石、下台石（芝石）、拝石を備えるが、すべてを備える必要はなく、いずれかを備えていなくてもよい。銘板は、洋型墓石の棹石部分に配置されることが好ましい。
本発明の参拝施設において、参拝装置は、和型又は洋型の他、任意のデザインのものであってもよい。
【００５３】
図６に、本発明の参拝施設の一態様を示す。参拝施設２０は、納骨装置１０と、保管庫２２と、運搬装置２４と、参拝装置２６とを備える。保管庫２２に保管された納骨装置１０は、参拝に備えて、運搬装置２４により保管庫２２から参拝装置２６へと運搬される。納骨装置１０の銘板１４は参拝装置２６に配置され、銘板１４に記載される文字情報を参拝者側に表示する。参拝が終了したら、納骨装置１０は、運搬装置２４により再び保管庫２２へ運搬され、保管される。図６の参拝施設２０は、壁面より凹んだ形態となっている。
【００５４】
図７に、本発明の参拝施設の別の態様を示す。図７の参拝施設２０は、壁面より突出した形態となっている。その他の特徴は、図６の態様と同様である。
図６及び図７に図示する態様では、納骨装置１０の収納容器１２と銘板１４とが接続しているが、本発明の参拝施設は、銘板１４を収納容器１２から分離して配置する構成であってもよい。
また、本発明の参拝施設は、例えば、図６及び図７において、参拝施設２６を参拝者の正面にある壁面との段差（凹凸）がなく壁面に対して平坦に配置してもよい。
【００５５】
図８に本発明の参拝施設の別の態様を示す。図８の参拝施設２０は、壁面から独立した形態であり、従来の和型の墓と同様の形態となっている。その他の特徴は、図６の態様と同様である。
図８に図示する態様では、銘板１４が納骨装置１０の収納容器１２から分離して配置されているが、本発明の参拝施設は、収納容器１２と銘板１４とが接続されて配置する構成であってもよい。
【００５６】
本発明の参拝施設は、参拝装置の棹石の部分に納骨装置の銘板が配置されることが好ましい。また、このとき、上台石、中台石、下台石の一又は複数が、表示装置を備えることができる。表示装置を備えることにより、参拝の際に、例えば故人の家紋等の情報を表示できる。また、参拝が終了したら、次の参拝に備えて、別の故人の家紋等を表示できる。表示装置としては、例えば、液晶ディスプレイ等が挙げられる。
【００５７】
本発明の参拝施設は、さらに、参拝装置を収容し、かつ、参拝者が参拝する場所を提供する参拝室を備えていてもよい。参拝室を備えることにより、屋内型の参拝施設とすることができ、天候の影響を受けることなく参拝者が快適に参拝をすることができる。
参拝室は、参拝者が参拝したり待機したりするための空間であり、少なくとも参拝装置が参拝者により視認可能であるように配置されていればよい。例えば、保管庫や運搬装置を参拝室の外（例えば、機械室）に配置し、参拝装置を参拝室の内部に配置することにより、参拝者が参拝する際に、保管庫や運搬装置等の機械的構造を参拝者の眼に触れることがないようにできる。参拝室には、参拝装置が複数配置されていてもよい。
尚、本発明の参拝施設は、参拝室を備えていない場合、参拝装置は屋外に配置することができる。従来の自動納骨堂の多くは屋内型の参拝施設であるが、本発明の参拝施設は屋外で参拝することが可能であり、従来の墓と同様の墓参行為を行うことができる。
【００５８】
以上説明した本発明の納骨装置及び参拝装置の種々の態様は、本明細書中に特に具体的に説明した場合の他、任意の二以上の態様を適宜組み合わせてもよい。
【産業上の利用可能性】
【００５９】
本発明の納骨装置及び参拝施設は、近年の墓地不足の解消と利便性追求に資するものであり、同時に、参拝者が感じる従来の墓との違和感を軽減することができる。
【符号の説明】
【００６０】
１０  納骨装置、１２  収納容器、１２ａ  上面、１２ｂ  底面、１２ｃ  正面、１２ｄ側面、１３  骨壺、１４  銘板、１５  係り受け部、１６  取付け部材、２０  参拝施設、２２  保管庫、２４  運搬装置、２６  参拝装置
【図１】
0006312088.tif 000002
【図２】
0006312088.tif 000003
【図３】
0006312088.tif 000004
【図４】
0006312088.tif 000005
【図５】
0006312088.tif 000006
【図６】
0006312088.tif 000007
【図７】
0006312088.tif 000008
【図８】
0006312088.tif 000009